(57)【特許請求の範囲】
【請求項１】
野地板と、
前記野地板を貫通し、建物内部に通じる開口部と、
前記野地板上で、前記開口部より屋根の傾斜方向下方に設けられ、通気性を少なくとも該屋根の傾斜方向に有する通気部材と、
前記開口部の上方を覆い、一端が前記野地板上で、他端が前記通気部材の上面に載置された防水部材と、
前記通気部材上に設けられ、屋根部材を支持するとともに前記通気部材との間で前記屋根の傾斜方向に通水可能な瓦支持部材と、を備えたことを特徴とする換気機能付き屋根。
【請求項２】
前記通気部材と前記防水部材を一体に形成したことを特徴とする請求項１に記載の換気機能付き屋根。
【請求項３】
前記通気部材は、断面波形に形成された波板であることを特徴とした請求項１または２に記載の換気機能付き屋根。
【請求項４】
前記通気部材は、上下板材の間に支柱部材を介在させ、該支柱部材間を通気可能に形成したことを特徴とする請求項１または２に記載の換気機能付き屋根。
【請求項５】
前記通気部材は、上下板材を所定の間隔で配置させ、該上下板材間に通気方向に交差する向きに邪魔板を設けて構成したことを特徴とする請求項１または２に記載の換気機能付き屋根。
【請求項６】
前記瓦支持部材は、前記通気部材との取り付け面において、少なくとも、前記屋根の傾斜方向に溝を備えて形成したことを特徴とする請求項１〜５のいずれか１項に記載の換気機能付き屋根。
【請求項７】
前記通気部材が、軒先部に設置されていることを特徴とする請求項１〜６のいずれか１項に記載の換気機能付き屋根。
【請求項８】
野地板と、
前記野地板の傾斜方向下端に、該野地板に連続して設けられた通気部材と、
前記通気部材上に設けられ、屋根部材を支持するとともに前記通気部材との間で前記屋根の傾斜方向に通水可能な瓦支持部材と、を備え、
前記通気部材は、内部に通気路を少なくとも前記野地板の傾斜方向に具え、かつ該通気路の一端は、該通気部材の下端に開口し、該通気路の他端は、前記通気部材の下面であって、建物内部に通じる位置に開口させたことを特徴とする換気機能付き屋根。
【請求項９】
前記通気部材は、該通気部材の下面に、広こまいを備えていることを特徴とする請求項８に記載の換気機能付き屋根。
【請求項１０】
前記広こまいを備えた前記通気部材は、前記広こまいと該通気部材の厚みを加えた全体の厚みが、前記野地板と等しい厚みに形成されていることを特徴とする請求項９に記載の換気機能付き屋根。
【請求項１１】
野地板と、
前記野地板の傾斜方向下端に、該野地板に連続して設けられた通気部材と、
前記野地板および前記通気部材上に設けられた屋根部材と、を備え、
前記通気部材は、内部に通気路を少なくとも前記野地板の傾斜方向に具え、かつ該通気路の一端は、該通気部材の下端に開口し、該通気路の他端は、前記通気部材の下面であって、建物内部に通じる位置に開口させたことを特徴とする換気機能付き屋根。
【請求項１２】
前記通気部材は、該通気部材の下面に、広こまいを備えていることを特徴とする請求項１１に記載の換気機能付き屋根。
【請求項１３】
前記広こまいを備えた前記通気部材は、前記広こまいと該通気部材の厚みを加えた全体の厚みが、前記野地板と等しい厚みに形成されていることを特徴とする請求項１２に記載の換気機能付き屋根。
【請求項１４】
野地板と、
屋根のけらばに、前記野地板に連続して設けられた通気部材と、
前記野地板および前記通気部材上に設けられた屋根部材と、を備え、
前記通気部材は、内部に通気路を具え、該通気路の一端は、前記けらばに開口し、該通気路の他端は、前記通気部材の下面であって、建物内部に通じる位置に開口させたことを特徴とする換気機能付き屋根。
【請求項１５】
前記通気部材は、該通気部材の下面に、登こまいを備えていることを特徴とする請求項１１に記載の換気機能付き屋根。
【請求項１６】
前記登こまいを備えた前記通気部材は、前記登こまいと該通気部材の厚みを加えた全体の厚みが、前記野地板と等しい厚みに形成されていることを特徴とする請求項１２に記載の換気機能付き屋根。
【請求項１７】
野地板と、
片流れ屋根の棟に、前記野地板に連続して設けられた通気部材と、
前記野地板および前記通気部材上に設けられた屋根部材と、を備え、
前記通気部材は、内部に通気路を具え、該通気路の一端は、前記棟の上端に開口し、該通気路の他端は、前記通気部材の下面であって、建物内部に通じる位置に開口させたことを特徴とする換気機能付き屋根。
【請求項１８】
前記通気部材は、該通気部材の下面に、下地板材を備えていることを特徴とする請求項１７に記載の換気機能付き屋根。
【請求項１９】
前記下地板材を備えた前記通気部材は、前記下地板材と該通気部材の厚みを加えた全体の厚みが、前記野地板と等しい厚みに形成されていることを特徴とする請求項１８に記載の換気機能付き屋根。
【請求項２０】
前記通気部材の上部片側縁に、水切部材を一体に設けたことを特徴とする請求項１〜１９のいずれか１項に記載の換気機能付き屋根。
【発明の詳細な説明】
【技術分野】
【０００１】
本発明は、屋根の流れ方向の下端に通気性を施し、軒先、あるいは屋根の端部を通して建物内の換気を可能とした換気機能付き屋根に関する。
【背景技術】
【０００２】
例えば、野地板の先端部分を通気性のある部材で構成し、更に野地板の下端近傍に開口部を設け、軒先部に設けられた通気性を有する部材と開口部を通して、小屋裏や室内など建物内における外気換気を可能とした小屋裏換気構造などが知られている。
【先行技術文献】
【特許文献】
【０００３】
【特許文献１】特開平２００８−１５０９０４号公報
【発明の概要】
【発明が解決しようとする課題】
【０００４】
しかしながら、上記建築物の小屋裏換気構造では、野地板と通気部材とを対応させて取り付ける必要があり、使用部材の選定や組み付け工程に手間がかかり、施工コストが増加するなどの問題があった。
【０００５】
また軒先部は、美観の観点や、火災発生時など、周囲からの延焼を防止する観点から、防火基準を満たした従来から使用されている通常の材質から形成されるのが好ましい。
【０００６】
本発明は上記課題を解決し、コストが低く、簡易な構成で、屋根の流れ方向下端に設けられた通気部材を用いて、小屋裏など建物内における外気換気を可能とし、また美観を保持し、かつ延焼などを防止できる換気機能付き屋根を提供することを目的とする。
【課題を解決するための手段】
【０００７】
上記の課題を解決するために、本発明では換気機能付き屋根を次のように構成した。  
野地板の下端部近傍に、表裏を貫通させた開口部を設ける。開口部は、小屋裏など建物内部に連通する位置に形成する。
【０００８】
開口部より下方の野地板上に、通気部材を設ける。通気部材は、少なくとも屋根の傾斜方向に通気性を具え、かつ瓦等の屋根部材と瓦支持部材を支持するに十分な強度を有する。通気部材としては、例えば波板、厚み方向に複数の支柱部材を具えた板状部材、通気方向に開口を具えた箱状部材、複数の通気孔を具えた板状部材などから形成する。
【０００９】
瓦支持部材は、例えば鼻桟、かわら桟であり、通気部材との間に通水性が形成されるように、下面に溝部などを設ける。瓦支持部材に、瓦などの屋根部材を載せ、屋根部材を葺く。
【００１０】
更に防水部材を開口部の上方に設け、開口部を防水部材で覆う。防水部材は、開口部を跨いで通気部材の上部と野地板との間を渡すように設ける。つまり屋根の傾斜に沿って野地板上を流下してきた水は、防水部材により開口部を越えて、通気部材の上面を通り野地板の端縁から排出されることとなる。防水部材は、野地板の防水処理のために設けられた防水布の一部を利用しても、開口部を覆うために専用に設けたものでもよい。また、通気部材と防水部材を一体に形成してもよい。
【００１１】
また、野地板の下方に通気部材を設けた。通気部材は、内部に通気路を有し、通気部材を屋根に取り付けると、通気路の一方は外気に連通し、他方側は建物内部に連通する。また通気部材は、野地板の上面と連続するように形成した。
【００１２】
通気部材の下面側に広こまいを設けた。更に、広こまいと通気部材とを組合わせた厚みを、野地板の厚みとほぼ等しい厚みとした。
【発明の効果】
【００１３】
本発明にかかる換気機能付き屋根は、次の効果を有している。  
小屋裏の空気（内部空気）は、野地板に設けられた開口部を通り、野地板と防水部材の間に排出される。野地板と防水部材との間に排出された内部空気は、通気部材を通り、建物の外部に放出される。また外気が通気部材を通り、野地板と防水部材との間に流入すると、その外気は野地板に設けられた開口部から小屋裏や室内など建物内部に導入される。このようにして、屋根の流れ方向下端に設けられた通気部材を用いて建物内の外気との換気が行える。
【００１４】
一方雨水は、通気部材の内部を上昇することがなく、また屋根部材の隙間などから浸入した水は、屋根の傾斜に沿って野地板上を流れ落ち、そして防水部材に達すると、開口部を越えて通気部材の上面を至り、通気部材を通って野地板の端縁から排出される。したがって、雨水等が開口部を通って小屋裏内等に流入することがなく、かつ屋根部材の隙間を通って屋根部材の内側に雨水が浸入しても、野地板上に雨水が溜まることなく、確実に屋根から排出される。
【００１５】
換気機能付き屋根は、開口部を野地板に設け、その下端に通気部材と瓦支持部材を野地板上に取り付けることで形成でき、部材を選択する自由度が大きく、かつ取付作業が容易となり、施工コストを低減できる。また波板や防水布等を市販部材で構成すると、材料費を低く抑えることができ、安価で、かつ施工をより容易にできる。
【００１６】
また通気部材は、野地板に連続して取り付けられるので、施工が容易で、コストを低減することができる。野地板と通気部材との間に段差をなくすことができ、金属製屋根材など平板状の屋根部材を簡易に葺くことが可能となる。
【００１７】
また、通気部材の下面に広こまいを設けたので、通気部材で通気が可能となり、そして従来から用いられている材質で広こまいが形成されることから、美観や防炎上好ましく施工できる。
【図面の簡単な説明】
【００１８】
【図１】本発明にかかる換気機能付き屋根の一実施形態を示す断面図である。
【図２】図1の換気機能付き屋根を示す斜視図である。
【図３】図1の換気機能付き屋根を示す分解斜視図である。
【図４】換気機能付き屋根の他の例を示す断面図である。
【図５】換気機能付き屋根の他の例を示す断面図である。
【図６】換気機能付き屋根の他の例を示す断面図である。
【図７】通気部材を示す斜視図である。
【図８】換気機能付き屋根の他の例を示す断面図である。
【図９】換気機能付き屋根の他の例を示す断面図である。
【図１０】換気機能付き屋根の他の例を示す断面図である。
【図１１】換気機能付き屋根の他の例を示す断面図である。
【図１２】換気機能付き屋根の他の例を示す断面図である。
【図１３】換気機能付き屋根の他の例を示す断面図である。
【図１４】換気機能付き屋根の他の例を示す断面図である。
【発明を実施するための形態】
【００１９】
本発明にかかる換気機能付き屋根の一実施形態について説明する。  
図２、図３に、建物の屋根１０を示す。屋根１０は、棟（図示せず。）を中心とした屋根の片側であり、図の右方を下にして所定角度で傾斜している。以下、屋根１０を、重力の方向を下方、その逆を上方とし、建物の内部から外に向かう方向を外方、その逆を内方として説明する。
【００２０】
屋根１０は、野地板１２と、垂木１４と、屋根部材としての瓦１６などから構成されている。垂木１４は、一端が棟木（図示せず。）に取り付けてあり、棟木から先端下がりに傾斜して設けられている。垂木１４上には野地板１２が取り付けられている。野地板１２は、主板部１７と、下部板１８から形成され、下部板１８が、主板部１７の下方に、主板部１７と所定の間隔をあけて取り付けられている。主板部１７と下部板１８の間には間隙が形成され、その間隙が開口部２０となっている。
【００２１】
垂木１４の下端には、鼻かくし２２が取り付けてある。鼻かくし２２と外壁２６の間には軒天井２４が設けられている。野地板１２、鼻かくし２２、軒天井２４で形成される空間は、小屋裏１５に連通している。また開口部２０は、小屋裏１５に連通して形成されている。
【００２２】
野地板１２の上面には、下地材としての防水布３０が敷かれている。防水布３０は、野地板１２のほぼ全面に敷かれており、防水布３０を挟んで、野地板１２上に瓦１６が葺かれている。瓦１６は、かわら桟（図示せず。）等を介して、従来と同様の工法で野地板１２に取り付けられている。
【００２３】
次に、屋根１０の下端部分について説明する。
【００２４】
下部板１８には、水切部材としての水切板３６が取り付けられている。水切板３６は、金属製の薄板からなり、プレス成形等により形成されている。水切板３６は、下部（外方）に延出部３８を具え、上部に立上り部４０を具えている。延出部３８は、図１にも示すように、下部板１８の端部に一致した位置で斜め下方に屈曲されており、下端に返し３９が形成されている。延出部３８は、基本的には鉛直、すなわち水平面と垂直になるように角度を設定することが好ましいが、強風地域では、延出部３８を鉛直より建物の側に傾斜させて取り付けると、雨水の浸入を効果的に防止できる。また、雨樋までの範囲内で、延出部３８を下方に長くすると風の巻き込みを抑制し、雨水の浸入を防止できる。（水切板に関して、以下同じである。）
立上り部４０は、上方に屈曲し、下部板１８の上部端縁にほぼ一致した位置に設けられている。尚水切板３６は、金属製薄板に限らず、他の素材で形成してもよい。
【００２５】
水切板３６の上面には、通気部材としての波板４２が取り付けられている。波板４２は、樹脂などからなる、断面波状の薄板部材である。波板４２は、断面波状の頂部や底部を結んだ直線が、屋根１０の傾斜方向とほぼ平行になるように取り付けられている。
【００２６】
波板４２の上面には、覆い板４４が取り付けられている。覆い板４４は、水切板３６と同様金属製薄板等で形成されている。覆い板４４は、波板４２の上面を覆うとともに、水切板３６の立上り部４０を跨ってその上方に、下向きに屈曲した屈曲片４８を具えている。
【００２７】
覆い板４４の上面には、防水布３０が設けられている。防水布３０は、野地板１２の主板部１７から連続して、開口部２０を越え、覆い板４４の上面に載置されている。尚防水布３０は、接着剤等を用いて覆い板４４の上面に接着してもよい。
【００２８】
覆い板４４の上面には、瓦支持部材としての鼻桟５０が設けられている。鼻桟５０は、所定の高さ幅を有する角材であり、覆い板４４を挟んで、波板４２に固定されている。鼻桟５０の下面には、幅方向、つまり屋根１０の傾斜方向に沿って切り欠いた溝５２が形成してあり、溝５２を介して水が通過可能となっている。すなわち、屋根１０の傾斜に沿って防水布３０や覆い板４４の上を流れてきた水が、鼻桟５０が覆い板４４上に取り付けられた状態で溝５２を通って更に下方に流下可能となっている。鼻桟５０の上面には、屋根１０の最下端のかわら１６が載せてある。かかる瓦１６は、鼻桟５０の上面に載せられた状態で野地板１２に固定されている。
【００２９】
尚、延出部３８と波板４２と覆い板４４とを、予め一体に形成していてもよい。また防水布３０は、鼻桟５０と覆い板４４の間に挟んでもよい。
【００３０】
次に、屋根１０の作用、効果について説明する。
【００３１】
屋根１０において小屋裏１５内の空気（「内部空気」とする。）は、図１の点線Ａの矢印で示すように野地板１２に設けられた開口部２０を通って野地板１２と防水布３０の間に流出する。野地板１２と防水布３０の間に流出した内部空気は、更に波板４２を通り、屋根１０の軒先から建物の外方に排出される。同様に外気は点線Ａと逆に、軒先から、覆い板４４と水切板３６の間に波板４２で形成された空隙を通って、防水布３０と野地板１２との間に導入される。防水布３０と野地板１２との間に導入された外気は、開口部２０を通って小屋裏１５内に流入する。これにより、建物内部（小屋裏１５内）が外気と換気される。
【００３２】
また雨水が瓦１６の間を通過して野地板１２に達すると、雨水は、野地板１２上に張られた防水布３０上を、屋根１０の傾斜に沿って流下する。そして雨水が、開口部２０の近傍に至ると、開口部２０の上部を覆って設けられた防水布３０上を流れ、覆い板４４の上面から溝５２を通り、軒先から建物の外に流下する。これにより、雨水が開口部２０から小屋裏等に浸入することがなく、また、雨水が屋根１０に溜まることもない。
【００３３】
このように屋根１０によれば、波板４２より通気通路が十分に確保され、確実な換気作用が得られるとともに、防水布３０により、開口部２０からの雨水の浸入を防ぎ、雨漏りなどを防止できる。しかも、波板４２や防水布３０は、市販の部材を利用できることから、安価で、かつ容易に施工することができる。
【００３４】
図４に、屋根の他の例を示す。図４に示す屋根１１は、波板４２に代えて通気板４３を設けた以外は、屋根１０の構成と同様の構成を有している。以下同一の部材には同一の符号を付し、説明を省略する。
【００３５】
通気部材としての通気板４３は、上板６７と下板６８を上下に平行に具え、その間に支柱部材６９を複数設けて板状部材として形成してあり、上板６７と下板６８の間が四方に通気可能となっている。このように通気板４３を用いて屋根１１を構成しても、上記屋根１０の例と同様建物内の十分な換気性能と、防水性能を具え、かつ瓦１６等の屋根部材を必要な強度で支持することができる。
【００３６】
更に図５に、屋根の他の例を示す。図５に示す屋根１３は、波板４２および覆い板４４に代えて通気板４５を設けた以外は、屋根１０の構成と同様の構成を有している。以下同一の部材には同一の符号を付し、説明を省略する。
【００３７】
通気部材としての通気板４５は、箱型の部材からなり、前後方向（取付け位置においては、屋根１３の傾斜方向）に沿った面が開放され通気可能となっており、かつ内面にいくつかの邪魔板４７が通気方向と直角に設けられている。通気板４５の上板は、上方に延び、開口部２０の上面に被っている。
【００３８】
このように通気板４５を用いて屋根１３を構成しても、上記屋根１０の例と同様建物内の十分な換気性能と、防水性能を具え、かつ瓦１６等の屋根部材を必要な強度で支持することができる。
【００３９】
更に通気板としては、上記例に限らず貫通孔を複数幅方向に貫通させて形成したりして通気性能を形成したものでもよい。
【００４０】
図６に、屋根の他の例を示す。この屋根２１は、通気部材が野地板１２と連続して設けられている点を除き、他の構成はほぼ上記屋根の構成と同一である。以下、同一の部材には、同一の符号を付し、その説明を省略する。
【００４１】
野地板１２は、垂木１４の下端まで延びておらず、垂木１４の下端から所定長さ上方まで設けられている。野地板１２の下端に連続して、通気部材２３が設けられている。通気部材２３は、図７にも示すように所定の幅を有する長尺の部材で、垂木１４の下端部に取り付けられている。
【００４２】
通気部材２３は、上板２５と、下板２７と、仕切り板２８（図７参照。）などから構成されている。上板２５は、下板２７より幅（屋根の傾斜方向に沿った長さである。）が広く、下板２７とほぼ平行に設けられている。仕切り板２８は、上板２５と下板２７の間に所定の間隔で取り付けられている。仕切り板２８は互いに平行で、通気部材２３を垂木１４に取り付けた際、屋根の傾斜方向に沿った方向になるよう取り付けられている。
【００４３】
これにより通気部材２３の内部に、点線Ａで示すように通気可能な通気路２９が、屋根の傾斜方向に沿った方向に形成されている。更に、上板２５は、上縁が野地板１２の下端に隙間なく当接するように取り付けられている。通気部材２３の上部には鼻桟５０が取り付けられている。鼻桟５０の上部に瓦１６が載せられている。防水布３０は、野地板１２と通気部材２３を跨いで連続して設けられている。尚、上板２５と野地板１２の接合箇所に防水シールなどを貼付してもよい。その他の構成は、上記屋根１０等と同様の構成である。
【００４４】
屋根２１は、上述したように構成されているので、図６に示すように小屋裏１５の内部空気は、点線Ａで示すように、上板２５と下板２７の段違いにより形成された開口部３２を通り、通気路２９を通過し、通気部材２３の下端から排出される。また外気が通気路２９を通って小屋裏１５内に流入し、建物内部が外気と換気される。
【００４５】
屋根２１は、通気部材２３を野地板１２の端部に直接接触させて取り付けられるので、容易に施工することができる。また屋根２１は、通気部材２３と野地板１２の上面を同一平面に形成できるので、瓦１６に限らず、金属製屋根部材やセメント製屋根部材などの平板状の屋根部材を容易に葺くことができる。
【００４６】
図８に、屋根の他の例を示す。この屋根３１は、屋根２１の通気部材２３に変更を加えたもので、他の構成は屋根２１の構成と同一である。以下、同一の部材には、同一の符号を付し、その説明を省略する。
【００４７】
屋根３１の通気部材３３は、上板２５と、下板２７と、邪魔板３４などから構成されている。上板２５は、下板２７より幅（屋根の傾斜方向に沿った長さである。）が広く、下板２７とほぼ平行に設けられている。邪魔板３４は、上板２５と下板２７のそれぞれ内側面に、所定の間隔で取り付けられている。邪魔板３４は互いに平行で、通気部材３３を垂木１４に取り付けた際、屋根の桁方向に沿い、かつ邪魔板３４が上下にそれぞれ互い違いに配置されるように取り付けられている。
【００４８】
これにより通気部材３３の内部に、点線Ａで示すような上下に屈曲した通気路３５が、屋根の傾斜方向に沿った方向に形成されている。上板２５は、上縁が野地板１２の下端に隙間なく当接するように取り付けられている。通気部材３３の上面には鼻桟５０が取り付けられている。鼻桟５０の上部に瓦１６が載せられている。防水布３０は、野地板１２と通気部材３３を跨いで連続して設けられている。尚、上板２５と野地板１２の接合箇所に防水シールなどを貼付してもよい。その他の構成は、上記屋根２１等と同様の構成である。
【００４９】
屋根３１は、上述したように構成されているので、図８に示すように小屋裏１５の内部空気は、点線Ａで示すように、上板２５と下板２７の段違いにより形成された開口部３２を通り、通気路３５を通過し、通気部材３３の下端から排出される。また外気が通気路３５を通って小屋裏１５内に流入し、建物内部が外気と換気される。更に通気路３５内には邪魔板３４が設けられているので、邪魔板３４によって通気流が屈曲され、雨滴の浸入が遮断される。したがって雨天時、小屋裏１５に外気が流入しても、雨滴が流入することはない。
【００５０】
屋根３１は、通気部材３３を野地板１２の端部に直接接触させて取り付けられるので、容易に施工することができる。また屋根３１は、通気部材３３と野地板１２の上面を同一平面に形成できるので、瓦１６に限らず、金属製屋根部材やセメント製屋根部材などの平板状の屋根部材を容易に葺くことができる。
【００５１】
図９に、図４に示した屋根１１の他の例を示す。この屋根１１は、水切板３６が通気板４３の上板６７に取り付けてある。水切板３６は、上述したように、金属製の薄板からなり、下部（外方）に延出部３８を鉛直、あるいは建物の側に傾斜させて取り付けられている。
【００５２】
また、水切板５７が、下部板１８の上面に取り付けられている。水切板５７は、例えば金属板からなり、下部板１８の上面から下部板１８の下端で屈曲して下方に延び、下部板１８の下端面を覆っている。その他の構成は、図４に示した屋根１１と同様の構成である。
【００５３】
このように水切板３６を通気板４３の上板６７に取り付けると、通気板４３の下端開口の前方を水切板３６で覆うことができ、横風が強い時でも風を遮り、通気板４３を通過して雨水などが小屋裏１５に浸入してくることを有効に防止できる。また、建物の側に延出部３８を傾斜させれば、横風を遮り、より効果的に雨水の浸入を防止できる。
【００５４】
更に、水切板５７を下部板１８の上面に取り付けることにより、水切板５７と水切板３６により外部から通気板４３へ通じる開口面積を狭めることができ、小屋裏１５への雨水等の浸入を効率よく防止できる。水切板５７の下端縁が、下部板１８の下端面の下方に延びていることにより、例えば横風が破風板２２に当たり上方に巻き上げられた風を、下部板１８の下端面から延びている水切板５７の下端縁で遮ることができ、横風の巻き込みによる小屋裏１５への雨水の浸入をより効果的に防止できる。
【００５５】
更に防水布３０の上面を流れ落ちてきた水は、鼻桟５０を通過して、水切板３６を伝って落下するので、野地板１２から離れた箇所から落水し、野地板１２や、鼻かくし２２など外壁部の水濡れを防止できる。（かかる水切板３６、あるいは水切板５７による効果は、後述する実施形態で同様に有する。）
図１０に、屋根の他の例を示す。図１０に示す屋根４１は、野地板１２の下端に、軒先通気部材５３が設けられている。軒先通気部材５３は、軒先通気部材５３の厚み方向の上部分に設けられた通気部材５４と、下部分に設けられた広こまい５６の上下二段から形成され、野地板１２との間に実質的な間隙を形成することなく設けられている。また軒先通気部材５３は、通気部材５４と広こまい５６とを合わせた全体の厚みが、野地板１２の厚みと同等の厚みを有し、屋根４１に取り付けたとき、軒先通気部材５３の上下面と野地板１２の上下面とがほぼ連続するようになっている。尚、通気部材５４と広こまい５６の厚みの割合は、１対１の均等でなく、必要に応じて適宜厚みの比率を変更してよい。
【００５６】
通気部材５４は、内部が通気可能で、上述した通気部材２３や通気部材３３等に対して厚み幅をほぼ半減させたのみ、同様の構成を有する部材から形成されている。また通気部材５４は、所定の横幅（屋根に取り付けた場合の屋根の傾斜に沿った方向の長さである。）を有し、軒先通気部材５３として屋根に取り付けた際、野地板１２との間に間隙が形成されないように形成されている。
【００５７】
広こまい５６は、従来から広こまいとして用いられている材質からなり、所定の厚み、すなわち広こまい５６と通気部材５４とを重ね合せると、軒先通気部材５３の全体の厚みが、野地板１２と同等の厚みを形成する厚みとなっている。また広こまい５６は、所定の横幅（屋根に取り付けた場合の屋根の傾斜に沿った方向の長さである。）を有し、軒先通気部材５３として屋根に取り付けた際、野地板１２との間で所定の間隙が形成される。
【００５８】
更に通気部材５４には、通気部材５４と広こまい５６とを接合させた際、広こまい５６から突出した通気部材５４の延出部分の下面が斜めに切断してあり、かかる切断面により通気部材５４の下面に、通気部材５４の内部に連通する開口部２０が形成されている。尚、切断方向は斜めでなく、通気部材５４の下板６８のみを切除して開口部２０を形成したり、あるいは上板６７を残して下板６８と支柱部材６９を切除して開口部２０を形成しても、通気部材５４の下面に開口がいずれかの方法で形成されればよい。野地板１２と軒先通気部材５３には、屋根部材としての平板瓦１９が、釘などにより固定して葺かれている。
【００５９】
通気部材５４と広こまい５６との間には、水切板５７が取り付けられている。水切板５７は、例えば金属板からなり、通気部材５４と広こまい５６との合わせ面全体を覆うとともに、下端が通気部材５４と広こまい５６との間から延出し、広こまい５６の下端面を覆っている。
【００６０】
通気部材５４の上面には、水切板３６が設けられている。水切板３６は、上述した構成と同様で、通気部材５４の先方で延出部３８が垂れ下がるように設けられている。また、軒先通気部材５３と野地板１２との接合部分には、上部に防水布３０が取り付けてあり、接合部分から小屋裏１５に漏水しないようにしてある。
【００６１】
このように形成したことにより、軒先通気部材５３を用いた屋根４１では、通気部材５４を介して小屋裏１５の換気が実施されるとともに、野地板１２上を流れ落ちてきた雨水などは、防水布３０の上面を通過して水切板３６を伝って落水し、小屋裏１５内に流下することがない。更に、軒先通気部材５３の下面には、従来から用いられている材質からなる広こまい５６が設けられていることから、防炎や美観などの観点からも、従来と同様支障なく用いられる。また、広こまい５６が下部に設けられていることにより軒先通気部材５３に十分な強度をもたらすことができる。更に、広こまい５６の端面には、水切板５７が設けられているので、耐水性、防火性、美観を良好にできる。また、水切板３６、及び水切板５７による効果は上述したと同様である。
【００６２】
図１１に屋根の他の例を示す。図１１に示す屋根５１は、通気性を有する軒先通気部材６３を野地板１２に連続させて設けている。軒先通気部材６３は、通気部材６４と板材６６から構成されている。
【００６３】
通気部材６４は、上述した通気部材２３や通気部材５４と同等の製品であり、適宜の厚みを有している。板材６６は、従来広こまいとして用いられていた通常の部材からなり、厚みも野地板１２とほぼ同等の厚みとなっている。
【００６４】
軒先通気部材６３は、野地板１２との厚みの差だけ垂木１４の一部を切り欠いたり、鼻かくし２２等の上端位置を下げるなどして、軒先通気部材６３の上面が、野地板１２の上面と連続した平面になるように取り付けられている。その他の構成は、図１０に示した屋根４１の構成と同様である。このように構成しても、屋根５１は、軒先において、小屋裏１５の換気が可能となり、しかも、防火性能、美観等を従来どおり満足させることができる。また、水切板３６、及び水切板５７による効果は上述したと同様である。
【００６５】
図１２に、他の例の屋根を示す。図１２に示した屋根６１は、軒先通気部材６３を用いた図１１に示した屋根５１の構造に、瓦１６を用いた例である。瓦１６を用いた場合には、鼻桟５０を通気部材６４、あるいは通気部材６４とともに広こまい６６に固定し、取り付けた鼻桟５０を用いて瓦１６を取り付ける。このように屋根６１を構成しても、軒先において、通気性が確保でき、かつ防火性能や美観等を従来どおり満足させることができる。またこの場合、図１０に示した屋根４１の軒先通気部材５３のように、軒先通気部材６３の板厚を野地板１２の板厚と同等の厚みにしてもよい。このように構成しても、屋根６１は、軒先において小屋裏１５の換気が可能となり、しかも、防火性能、美観等を従来どおり満足させることができる。また、水切板３６、及び水切板５７による効果は上述したと同様である。
【００６６】
尚、上記例では軒天井２４を備えた屋根を用いて説明したが、本発明にかかる換気機能付き屋根はこれに限るものではない。例えば軒天井２４を備えず、屋根と外壁が交差するような建物においても、野地板１２に、建物の内部に通じる開口部を開口させ、屋根の端部に設けた通気部材を用いて建物内部を外気と換気可能に構成してもよい。
【００６７】
図１３に、屋根の他の例を示す。図１３は、屋根のけらばを示す。図の左方が、けらばの端部であり、破風板７５が設けてあり、紙面の奥に向かって屋根７１が上昇している。屋根７１は、通気性を有するけらば通気部材７３を、野地板１２に連続させて備えている。けらば通気部材７３は、けらば通気部材７３の厚み方向の上部分に設けられた通気部材７４と、下部分に設けられた登こまい７６の上下二段から形成され、野地板１２との間に実質的な間隙を形成することなく設けられている。
【００６８】
けらば通気部材７３は、通気部材７４と登こまい７６とを合わせた全体の厚みが、野地板１２の厚みと同等の厚みを有し、屋根７１に取り付けたとき、けらば通気部材７３の上下面と野地板１２の上下面とがほぼ連続するようになっている。尚、通気部材７４と登こまい７６の厚みの割合は、１対１の均等でなく、必要に応じて適宜厚みの比率を変更してよい。
【００６９】
けらば通気部材７３と平板瓦１９の間には、けらば水切板７７が取り付けられている。けらば水切板７７は、例えば金属板からなり、少なくとも開口部２０の上面を覆うとともに、のぼり木７８を超えて下降し、通気部材７４と登こまい７６の前方を覆っている。
【００７０】
通気部材７４は、内部が通気可能で、図１０に示した通気部材７４と同様の構成を有する部材から形成されている。また通気部材７４は、所定の横幅（屋根に取り付けた場合の水平方向に沿った長さである。）を有し、けらば通気部材７３として屋根７１に取り付けた際、野地板１２との間に間隙が形成されないように形成されている。
【００７１】
野地板１２の上面には、防水布３０（下葺材）が取り付けてあり、けらば通気部材７３と野地板１２上との接合部分から小屋裏１５に漏水しないようにしてある。また他の防水布３０（増張り下葺材）は、のぼり木７８の上面に至り、のぼり木７８を防水している。
【００７２】
登こまい７６は、従来から広こまいとして用いられている材質からなり、登こまい７６と通気部材７４とを重ね合せると、けらば通気部材７３の全体の厚みが、野地板１２と同等の厚みを形成する所定の厚みを有している。また登こまい７６は、所定の横幅（屋根に取り付けた場合の屋根の傾斜に沿った方向の長さである。）を有し、けらば通気部材７３として屋根に取り付けた際、野地板１２との間で所定の間隙が形成される。
【００７３】
更に通気部材７４には、通気部材７４と登こまい７６とを接合させた際、登こまい７６から突出した通気部材７４の延出部分の下面が斜めに切断してあり、かかる切断面により通気部材７４の下面に、通気部材７４の内部に連通する開口部２０が形成されている。尚、切断方向は斜めでなく、通気部材７４の下板６８（以下、図９参照。）のみを切除して開口部２０を形成したり、あるいは上板６７を残して下板６８と支柱部材６９を切除して開口部２０を形成しても、通気部材７４の下面に開口が形成されればよい。野地板１２とけらば通気部材７３には、屋根部材としての平板瓦１９が、釘などにより固定して葺かれている。
【００７４】
このように形成したことにより、けらば通気部材７３を用いた屋根７１では、通気部材７４を介して小屋裏１５の換気が実施されるとともに、野地板１２上を流れ落ちてきた雨水などは、防水布３０の上面を通過して小屋裏１５内に流下することがない。更に、けらば通気部材７３の下面には、従来から用いられている材質からなる登こまい７６が設けられていることから、防炎や美観などの観点からも、従来と同様支障なく用いられる。また、登こまい７６が下部に設けられていることによりけらば通気部材７３に十分な強度をもたらすことができる。更に、登こまい７６の端面には、けらば水切板７７が設けられているので、耐水性、防火性、美観を良好にできる。
【００７５】
図１４に屋根の他の例を示す。図１４に示す屋根８１は、片流れ屋根で、図の右に向かって屋根が下がっている。屋根８１は、図の左方に、破風板８５が設けてあり、破風板８５の上端から野地板１２が設けられている。野地板１２は、垂木１４に取り付けられている。野地板１２の上端には、棟通気部材８３が設けられている。棟通気部材８３は、棟通気部材８３の厚み方向の上部分に設けられた通気部材８４と、下部分に設けられた下地板材８６の上下二段から形成され、野地板１２との間に実質的な間隙を形成することなく垂木１４上に設けられている。また棟通気部材８３は、通気部材８４と下地板材８６とを合わせた全体の厚みが、野地板１２の厚みと同等の厚みを有し、屋根８１に棟通気部材８３を取り付けたとき、棟通気部材８３の上下面と野地板１２の上下面とがほぼ連続するようになっている。尚、通気部材８４と下地板材８６の厚みの割合は、１対１の均等でなく、必要に応じて適宜厚みの比率を変更してよい。
【００７６】
通気部材８４は、内部が通気可能で、図１０に示した通気部材８４と同様の構成を有する部材から形成されている。また通気部材８４は、所定の横幅（屋根に取り付けた場合の屋根の傾斜に沿った方向の長さである。）を有し、棟通気部材８３として屋根に取り付けた際、野地板１２との間に間隙が形成されないように形成されている。
【００７７】
下地板材８６は、従来から野地板、あるいは広こまいとして用いられている材質からなり、所定の厚み、すなわち下地板材８６と通気部材８４とを重ね合せると、棟通気部材８３の全体の厚みが、野地板１２と同等の厚みを形成する厚みとなっている。また下地板材８６は、所定の横幅（屋根に取り付けた場合の屋根の傾斜に沿った方向の長さである。）を有し、棟通気部材８３として屋根に取り付けた際、野地板１２との間で所定の間隙を形成する。
【００７８】
更に通気部材８４には、通気部材８４と下地板材８６とを接合させた際、下地板材８６から突出した通気部材８４の延出部分の下面が斜めに切断してあり、かかる切断面により通気部材８４の下面に、通気部材８４の内部に連通する開口部２０が形成されている。尚、切断方向は斜めでなく、通気部材８４の下板６８（以下、図９参照。）のみを切除して開口部２０を形成したり、あるいは上板６７を残して下板６８と支柱部材６９を切除して開口部２０を形成しても、通気部材８４の下面に開口が形成されればよい。野地板１２と棟通気部材８３には、防水布３０を間に挟んで屋根部材としての平板瓦１９が、釘などにより固定して葺かれている。
【００７９】
平板瓦１９の上面には笠木８８が取り付けてある。笠木８８には、片流れ水切板８７が取り付けられている。片流れ水切板８７は、例えば金属板からなり、笠木８８の全体を覆うとともに、左端が破風板８５と平行に、下方に延びている。
【００８０】
このように形成したことにより、棟通気部材８３を用いた屋根８１では、通気部材８４を介して小屋裏１５の換気が実施されるとともに、屋根８１上に落ちた雨水などは、片流れ水切板８７から平板瓦１９上に流れ、仮に平板瓦１９の下側に入っても、防水布３０の上面を通過するので、小屋裏１５内に流下することがない。更に、棟通気部材８３の下面には、従来から用いられている材質からなる下地板材８６が設けられていることから、防炎や美観などの観点からも、従来と同様支障なく用いられる。また、下地板材８６が下部に設けられていることにより棟通気部材８３に十分な強度をもたらすことができる。
【産業上の利用可能性】
【００８１】
本発明は、屋根の下端に通気性の部材を設け、かかる通気部材を用いて、小屋裏など建物内部を換気させることとした屋根に用いることができる。
【符号の説明】
【００８２】
１０、１１、１３、２１、３１、４１、５１、６１、７１、８１…屋根
１２…野地板
１４…垂木
１５…小屋裏
１６…瓦
１７…主板部
１８…下部板
２０…開口部
２３、３３、５６、６６…広こまい
２４…軒天井
３０…防水布
３６…水切板
４２…波板
４３、４５…通気板
４４…覆い板
５０…鼻桟
５２…溝
５３、６３…軒先通気部材
７３…けらば通気部材
８３…棟通気部材
【図１】
0005549930.tif 000002
【図２】
0005549930.tif 000003
【図３】
0005549930.tif 000004
【図４】
0005549930.tif 000005
【図５】
0005549930.tif 000006
【図６】
0005549930.tif 000007
【図７】
0005549930.tif 000008
【図８】
0005549930.tif 000009
【図９】
0005549930.tif 000010
【図１０】
0005549930.tif 000011
【図１１】
0005549930.tif 000012
【図１２】
0005549930.tif 000013
【図１３】
0005549930.tif 000014
【図１４】
0005549930.tif 000015